(57)【特許請求の範囲】
【請求項１】
ディスク挿入口と、このディスク挿入口から挿入される大径と小径の２種類の径からなるディスクを搬送する搬送手段と、搬送されるディスクをその径に応じてターンテーブル上に位置決めする位置決め手段と、ターンテーブル上に位置決めされたディスクをこのターンテーブルに装着して再生する再生手段とを備え、前記搬送手段によるディスク搬送路の幅寸法が、対象となる大径ディスクの径にほぼ等しくなるように設定されたディスクプレーヤにおいて、
前記位置決め手段は、前記ディスク搬送路中に配置され、線対称形状で中心線上に軸を備え、搬送されるディスクと当接する一対の当接部を前記軸から等距離で前記中心線を挟むように備え、前記軸の移動に伴って前記当接部の位置を移動させるものであり、
この当接部は、少なくとも搬送されるディスクと当接する前の初期状態では、前記ディスク搬送路の幅寸法を規定する両側面のうち近接するほうの側面との距離が、前記小径ディスクの半径より大きく設定され、
小径ディスクが前記搬送手段に搬送され当該当接部の一方と当接した状態では、当接した一方の当接部は、前記軸の移動に伴って、前記両側面のうち近接するほうの側面との距離が前記小径ディスクの半径より小さくなる位置に移動し、
前記小径ディスクがさらに搬送されると、前記小径ディスクを前記一方の当接部によってセンタリングし、前記当接部は前記初期状態の位置に復帰して、前記一対の当接部がともに前記小径ディスクに当接するように構成されることを特徴とするディスクプレーヤ。
【発明の詳細な説明】
【０００１】
【発明の属する技術分野】
本発明は、ＣＤプレーヤ、ＬＤプレーヤ等のディスクプレーヤに係り、特に、径の異なる複数種類のディスクを対象とする場合に、搬送されるディスクをその径に応じてターンテーブル上に位置決めするための位置決め手段を改良してプレーヤを小型化するための技術に関するものである。
【０００２】
【従来の技術】
従来、ＣＤプレーヤとしては各種のものが存在しているが、中でも、フロントローディング方式のＣＤプレーヤは、装置の前面に開口するディスク挿入口から挿入されたディスクをターンテーブル上まで自動的に搬送するディスクローディング機構と、ターンテーブル上に位置決めされたディスクをこのターンテーブルに自動的に装着して再生するディスク駆動ユニットとを備えたものである。このようなフロントローディング方式のＣＤプレーヤは、デザイン性や操作性に優れているため、需要も高く、その一層の開発が求められている。
【０００３】
その一方で、ＣＤプレーヤが対象とするＣＤ自体の寸法は、ワンサイズではなく、１２ｃｍの径を持つ大径ディスクと、８ｃｍの径を持つ小径ディスクという径の異なる２種類のディスクが普及している。そのため、以上のようなフロントローディング方式のＣＤプレーヤにおいても、このような径の異なる２種類のディスクを再生できるタイプのＣＤプレーヤが開発され、広く普及している。
【０００４】
このように、径の異なるディスクを対象とするＣＤプレーヤにおいては、径の異なるディスクを確実にターンテーブル上に位置決めすることが要求される。この場合、ＣＤプレーヤのディスク搬送路の幅寸法は、大径ディスクの径にほぼ等しくなるように設定されるため、大径ディスクの位置決めは搬送方向について行えばよいため、比較的容易であるが、小径ディスクについては、搬送方向だけでなく、幅方向の位置決めも必要となってくる。すなわち、小径ディスクがディスク挿入口の最端部から挿入された場合には、この小径ディスクを搬送する際に、ディスク搬送路の幅方向においてセンタリングする必要がある。
【０００５】
従来、このような小径ディスクのセンタリング機能を有するＣＤプレーヤとしては、例えば、特開平７−５００５７号公報に記載の技術が存在している。この公報に記載のメカニズムは、小径ディスクを位置決めできる間隔で当接部材を配置し、ディスクの移動領域の縁部とこれに対向する当接部材との距離を小径ディスクの半径よりも狭くするものである。このメカニズムにおいては、小径ディスクがディスク挿入口の最端部から挿入された場合でも当接部材がこの小径ディスクの中心より外側に位置するため、ディスク搬送力を受けている小径ディスクが、当接部材によって外側から押される形で中央側に導かれる。
【０００６】
【発明が解決しようとする課題】
ところで、上記のような従来のＣＤプレーヤにおいては、次のような問題点がある。すなわち、ディスクを位置決めするための当接部材やこれに連動する部材は、大径ディスクが挿入された場合には、大径ディスクに合わせた位置に移動させる必要があるが、上記の従来技術のように、最端部から挿入された小径ディスクの中心よりも外側に当接部材を配置した場合には、この当接部材やその関連部材が大型・複雑化したり、その動作スペースが大きくなってしまい、ＣＤプレーヤの小型・簡略化設計が困難になる。なお、このようなディスクの位置決めに係る問題点は、ＣＤプレーヤに限らず、複数種類のディスクを対象とする各種のディスクプレーヤにおいて、同様に存在するものである。
【０００７】
本発明は、以上のような従来技術の問題点を解決するために提案されたものであり、その目的は、小径ディスクを容易かつ確実に位置決め可能としながら、しかも、位置決めに必要な各種の部材を小型・簡略化し、その動作スペースを縮小することにより、小型・簡略化設計に貢献可能な優れたディスクプレーヤを提供することである。
【０００８】
本発明は、上記の課題を解決するために、請求項１記載の発明は、ディスク挿入口と、このディスク挿入口から挿入される大径と小径の２種類の径からなるディスクを搬送する搬送手段と、搬送されるディスクをその径に応じてターンテーブル上に位置決めする位置決め手段と、ターンテーブル上に位置決めされたディスクをこのターンテーブルに装着して再生する再生手段とを備え、前期搬送手段によるディスク搬送路の幅寸法が、対象となる大径ディスクの径にほぼ等しくなるように設定されたディスクプレーヤーにおいて、前記位置決め手段は、前記ディスク搬走路中に配置され、線対称形状で中心線上に軸を備え、搬送されるディスクと当接する一対の当接部を前記軸から等距離で前記中心線を挟むように備え、前記軸の移動に伴って前記当接部の位置を移動させるものであり、この当接部は、少なくとも搬送されるディスクと当接する前の初期状態では、前記ディスク搬走路の幅寸法を規定する両側面のうち近接するほうの側面との距離が、前記小径ディスクの半径より大きく設定され、小径ディスクが前記搬送手段に搬送され当該当接部の一方と当接した状態では、当接した一方の当接部は、前記軸の移動に伴って、前記両側面のうち近接するほうの側面との距離が前記小径ディスクの半径より小さくなる位置に移動し、前記小径ディスクがさらに搬送されると、前記小径ディスクを前記一方の当接部によってセンタリングし、前記当接部は前期初期状態の位置に復帰して、前記一対の当接部がともに前記小径ディスクに当接するように構成されることを特徴とする。
【０００９】
この構成によれば、ディスク挿入口の最端部から挿入された小径ディスクの中心よりも内側に当接部が配置されることになるため、最端部から挿入された小径ディスクの中心よりも外側に当接部を配置した場合に比べて、当接部を含む部材やその関連部材を小型・簡略化して、これらの部材の動作スペースを小さくすることができる。
【００１０】
【発明の実施の形態】
以下には、本発明をＣＤプレーヤに適用した場合の複数の実施の形態について、具体的に説明する。
【００１１】
［１．第１の実施の形態］
［１−１．構成］
図１は、本発明を適用したＣＤプレーヤの第１の実施の形態に係るディスク検出・位置決め機構の主要部材のみを示す平面図であり、特に、ディスクと当接する前の初期状態を示している。この図１に示すように、本実施の形態のディスク検出・位置決め機構は、対向する両側の側面１，２によって規定されたディスク搬送路３中において、ターンテーブル４上にディスクをチャッキングするためのクランパ部材５の周辺に構成されている。
【００１２】
すなわち、クランパ部材５には、ディスクのローディング方向（搬送方向）に向かって設けられたガイド溝５ａに沿って移動可能でかつ揺動自在なストッパ部材１０が設けられ、このストッパ部材１０にディスクと当接するピン状の一対のストッパ（当接部）１１，１２が配置されている。クランパ部材５にはまた、小径ディスクを位置決めする位置にストッパ部材１０をロックするためのロック手段として、クランパ部材５に取り付けられた軸部５ｂによって回動可能な規制部材１３が設けられると共に、軸部５ｂに対して移動可能でかつ揺動自在なロック部材１４が設けられている。さらに、ロック部材１４の近傍には、大径ディスクを検出してロック部材１４を解除するためのディスク検出部材１５が軸１５ａによって回動可能に設けられている。以下には、各部材の構成と部材間の関係について詳細に説明する。
【００１３】
まず、線対称形状を有するストッパ部材１０の中心線上には軸１０ａが設けられており、この軸１０ａがクランパ部材５のガイド溝５ａに挿入され、ガイド溝５ａにガイドされて直線移動すると共に揺動時の中心となるように構成されている。この場合、ガイド溝５ａは、ディスク搬送路３の中心線上に配置されており、したがって、ストッパ部材１０は、その揺動中心となる軸１０ａがディスク搬送路３の中心線上を移動するように構成されている。ストッパ部材１０にはまた、係合部１０ｂと回動規制部１０ｃが設けられている。そして、ストッパ部材１０は係合部１０ｂを介して規制部材１３と係合すると共に、ストッパ部材１０の揺動範囲は、回動規制部１０ｃとガイド溝５ａの端部との係合関係によって規制されるようになっている。また、図中５ｃは、クランパ部材５に設けられた段部５ｃであり、ストッパ部材１０は、クランパ部材５上におけるこの段部５ｃの片側の領域で動作するようになっている。
【００１４】
次に、一対のストッパ１１，１２は、ストッパ部材１０の軸１０ａを挟む形で軸１０ａから等しい距離に設けられており、ストッパ１１，１２間の間隔は、小径ディスクＳを位置決めするのに十分な寸法とされている。この場合、一対のストッパ１１，１２は、図１に示すように、ディスクと当接する前の初期状態では、各ストッパとそれに対向する側面との距離Ｐが小径ディスクＳの半径Ｑより大きくなるように設定されている（Ｐ＞Ｑ）。
【００１５】
続いて、規制部材１３の回動自由端には係合溝１３ａが設けられ、この係合溝１３ａ内にストッパ部材１０の係合部１０ｂが挿入されている。そして、この関係により、規制部材１３は、ストッパ部材１０の直線移動に伴って軸部５ｂを中心として回動するようになっている。また、この規制部材１３の中央部には、ピン１３ｂが設けられており、このピン１３ｂがロック部材１４によってロックされるようになっている。
【００１６】
そして、規制部材１３は、ロック部材１４によって図１に示すような初期のロック状態に保持されている場合には、ストッパ部材１０が小径ディスクを位置決めする位置で回動を停止し、ストッパ部材１０をこの位置で停止させるようになっている。これに対して、ロックが解除された状態でストッパ部材１０が直線移動する場合には、規制部材１３は、ストッパ部材１０を途中で停止させることなく、ストッパ部材１０が大径ディスクを位置決めする位置に達するまで回動できるようになっている。
【００１７】
一方、ロック部材１４の中央部にはガイド孔１４ａが設けられ、このガイド孔１４ａ内に軸部５ｂが挿入されている。そして、この関係により、規制部材は、軸部５ｂに対して直線移動すると共に揺動するように構成されている。また、ロック部材１４の一端には、ロック孔１４ｂが設けられ、このロック孔１４ｂ内に規制部材１３のピン１３ｂが挿入されている。ここで、ロック孔１４ｂは、小径ディスク用ロック部、大径ディスク用ロック部、および逃げ部を備えている。
【００１８】
さらに、ロック部材１４は、規制部材１３との間に取り付けられたロックスプリング１６の弾性力により、規制部材１３に対してロック方向（図中右方向）に付勢されている。また、ロック部材１４は、クランパ部材５との間に取り付けられたスプリング１７によってクランパ部材５に対して図中時計方向に付勢されている。
【００１９】
そして、ロック部材１４は、図１に示すような初期状態においては、ローディング方向にほぼ直交する方向を向いており、ロックスプリング１６の弾性力により、そのロック孔１４ｂの小径ディスク用ロック部によって規制部材１３のピン１３ｂをロックしている。また、ロック部材１４のローディング方向における動作範囲は、図１に示すような初期位置と、規制部材１３の回動を停止させてストッパ部材１０を停止させる位置との間となるように規制されている。
【００２０】
最後に、ディスク検出部材１５については、その一方の回動自由端に大径ディスクを検出するための検出ピン１５ｂが設けられると共に、他方の回動自由端にロック部材１４を解除するためのロック解除部１５ｃが設けられている。このディスク検出部材１５は、スプリング１８によって図中時計方向に付勢されており、図１に示すような初期状態においては、その検出ピン１５ｂがディスク搬送路３の片側の側面２の近傍に位置するようになっている。そして、検出ピン１５ｂが大径ディスクによって押された際には、ディスク検出部材１５は、図中反時計方向に回動してそのロック解除部１５ｃによりロック部材１４を解除するようになっている。
【００２１】
［１−２．作用］
以上のような構成を有する本実施の形態のディスク検出・位置決め機構によれば、大小のディスクの検出およびターンテーブル上におけるディスクの位置決めを確実に行うことができる。以下には、図１〜図１０を参照しながら、小径ディスクの位置決め動作と大径ディスクの位置決め動作について順次説明する。ここで、図１〜図６は、小径ディスクの位置決め動作を示す図であり、図７〜図１０は、大径ディスクの位置決め動作を示す図である。
【００２２】
［小径ディスクの位置決め動作］
図１に示すように、小径ディスクＳがディスク搬送路３の幅方向における側面２側の最端部から挿入された場合には、この小径ディスクＳは、図示していないディスクローディング機構により、ディスク搬送路３に沿って搬送され、図２に示すように、同じ側のストッパ１２に当接する。
【００２３】
なお、このように、側面２側の最端部から挿入された小径ディスクＳは、ディスク検出部材１５の検出ピン１５ｂを押すため、ディスク検出部材１５が回動してそのロック解除部１５ｃによりロック部材１４が一旦解除されるが、この状態でストッパ部材１０がディスクによって押されることはないため、規制部材１３は初期状態に保持される。そして、図２に示すように小径ディスクＳがストッパ１２に当接する時点では、ディスク検出部材１５が小径ディスクＳから解放されて初期状態に復帰しているため、ロック部材１４も初期のロック状態に復帰している。
【００２４】
また、図２に示すように、ストッパ１２に小径ディスクＳが当接した時点では、図１の初期状態と同様に、ストッパ１２は、小径ディスクＳの中心よりも内側に存在する（Ｐ＞Ｑ）。そして、この状態から小径ディスクＳのローディング力によりストッパ１２が押されると、小径ディスクＳの移動に伴い、ストッパ部材１０は、軸１０ａを中心に図中反時計方向に揺動し、その回動規制部１０ｃとクランパ部材５のガイド溝５ａの端部との係合関係によって停止する。この結果、図３に示すように、ストッパ１２が小径ディスクＳの中心よりも外側に移動する（Ｐ＜Ｑ）。
【００２５】
そのため、この後は、ローディング力を受けている小径ディスクＳがこのストッパ１２によって外側から押される形でセンタリングされる。このセンタリング動作においては、小径ディスクＳが他方のストッパ１１に当接してこれを押すことにより、ストッパ部材１０を逆方向に回動させるため、図４に示すように、ストッパ部材１０は、初期状態に復帰する。
【００２６】
このように小径ディスクＳがセンタリングされ、ストッパ部材１０が初期状態に復帰した後は、小径ディスクＳのローディング力により両側のストッパ１１，１２を介してストッパ部材１０がローディング方向に押されるため、図５に示すように、ストッパ部材１０は小径ディスクＳと共にガイド溝５ａに沿ってローディング方向に直線移動する。そして、このストッパ部材１０の直線移動に伴い、規制部材１３は軸部５ｂを中心として図中時計方向に回動し、ロックスプリング１６を介して連結されたロック部材１４も規制部材１３を初期のロック状態で保持したまま一体的に回動する。
【００２７】
この後、図６に示すように、小径ディスクＳがターンテーブル４上に達すると、ロック部材１４がそのローディング方向における動作範囲の最終位置に達して停止し、これにロックされた規制部材１３が停止してストッパ部材１０を停止させる。したがって、ストッパ部材１０のストッパ１１，１２と当接している小径ディスクＳは、ターンテーブル４上に確実に位置決めされる。なお、図６に示すように、ロック部材１４がその動作範囲の最終位置に達する際には、チャッキング用のトリガ部材１９がこのロック部材１４によって押されることにより、ディスクの位置決めに続いてチャッキング動作が開始する。
【００２８】
また、上記の場合とは逆に、小径ディスクＳがディスク搬送路３の幅方向における側面１側の最端部から挿入された場合には、小径ディスクＳは他方のストッパ１１に当接し、それによってストッパ部材１０は図中時計方向に揺動し、ストッパ１１が小径ディスクＳの内側から外側に移動する。そして、このストッパ１１によって外側から押される形で小径ディスクＳがセンタリングされた後は、上記の場合と同様に、図４〜図６に示すように、ストッパ部材１０の直線移動と、規制部材１３およびロック部材１４によるストッパ部材１０の停止動作が順次行われて、小径ディスクＳがターンテーブル４上に確実に位置決めされる。なお、このように小径ディスクＳがディスク搬送路３の側面１側から挿入された場合には、小径ディスクＳはディスク検出部材１５に全く当接しないため、小径ディスクＳがストッパ１１に当接する前にロック部材１４が一旦解除されることはない。
【００２９】
さらに、小径ディスクＳがディスク搬送路の幅方向における中央部から挿入された場合には、センタリングの必要はないため、図４〜図６に示すように、ストッパ部材１０の直線移動と、規制部材１３およびロック部材１４によるストッパ部材１０の停止動作が順次行われて、小径ディスクＳがターンテーブル４上に確実に位置決めされる。
【００３０】
［大径ディスクの位置決め動作］
図７に示すように、大径ディスクＬがディスク搬送路３に挿入された場合には、この大径ディスクＬは、図示していないディスクローディング機構により、ディスク搬送路３に沿って搬送され、図８に示すように、両側のストッパ１１，１２に当接する。この時点では、大径ディスクＬによって、ディスク検出部材１５の検出ピン１５ｂが押されているため、ディスク検出部材１５はスプリング１８の弾性力に逆らって図中反時計方向に回動しており、そのロック解除部１５ｃによりロック部材１４を解除方向に移動させている。すなわち、規制部材１３のピン１３ｂがロック部材１４のロック孔１４ｂの逃げ部に移動しており、規制部材１３がロック部材１４に対して回動可能となっている。
【００３１】
したがって、この状態から、大径ディスクＬのローディング力により、ストッパ部材１０が大径ディスクＬと共にガイド溝５ａに沿ってローディング方向に直線移動すると、図９に示すように、規制部材１３は、ロックスプリング１６の弾性力に逆らってロック部材１４に対して回動し、規制部材１３のピン１３ｂがロック部材１４のロック孔１４ｂの大径ディスク用ロック部側に移動する。そして、規制部材１３のピン１３ｂがロック部材１４のロック孔１４ｂの大径ディスク用ロック部側の縁部に達した後は、規制部材１３とロック部材１４は再び係合し、一体的に回動する。
【００３２】
この後、図１０に示すように、大径ディスクＬがターンテーブル４上に達すると、ロック部材１４がそのローディング方向における動作範囲の最終位置に達して停止する。この時点では、ディスク検出部材１５が大径ディスクＬから解放されて初期状態に復帰していることから、ロック部材１４も初期のロック状態に復帰しており、そのロック孔１４ｂの大径ディスク用ロック部で規制部材１３のピン１３ｂをロックしている。そのため、ロック部材１４の停止に伴い、これにロックされた規制部材１３が停止してストッパ部材１０を停止させる。したがって、このストッパ部材１０のストッパ１１，１２と当接している大径ディスクＬは、ターンテーブル４上に確実に位置決めされる。
【００３３】
［１−３．効果］
以上のように、本実施の形態によれば、小径ディスクＳがディスク搬送路の最端部から挿入された場合でも、小径ディスクＳのローディング力を利用して、ストッパ部材１０を揺動させて当接側のストッパを移動させることにより、小径ディスクＳを容易かつ確実にセンタリングすることができる。また、小径ディスクＳをセンタリングした後は、規制部材１３とロック部材１４の動作によってストッパ部材１０を停止させ、小径ディスクＳをターンテーブル４上に確実に位置決めすることができる。
【００３４】
しかも、本実施の形態によれば、ディスク搬送路３の幅方向における最端部から挿入された小径ディスクＳの中心よりも内側に当接部であるストッパ１１，１２が配置されることになるため、最端部から挿入された小径ディスクＳの中心よりも外側に当接部を配置した場合に比べて、これらのストッパ１１，１２を含むストッパ部材１０を小型・簡略化し、その動作スペースを小さくすることができる。特に、線対称形状を有するストッパ部材１０の揺動中心となる軸１０ａが、ストッパ部材１０の中心線上に配置されると共に常にディスク搬送路３の中心線上にあり、一対のストッパ１１，１２が軸１０ａから等距離に配置されているため、一対のストッパ１１，１２の動作経路の設定が容易であり、機構設計が容易である。したがって、ＣＤプレーヤの小型・簡略化設計に大きく貢献可能である。
【００３５】
［２．参考例１］
［２−１．構成］
図１１は、本発明を適用したＣＤプレーヤの参考例１に係るディスク検出・位置決め機構の主要部材のみを示す平面図であり、特に、ディスクと当接する前の初期状態を示している。この図１１に示すように、本参考例のディスク検出・位置決め機構は、前記第１の実施の形態におけるストッパ部材１０の構成を変更したものである。すなわち、本参考例においては、ストッパ部材２０自体は、ガイド溝５ａに沿って直線移動するだけであり、このストッパ部材２０に、ストッパ１１，１２の一方をそれぞれ有する一対の補助ストッパ部材２１，２２が回動自在に設けられている。以下には、このストッパ部材２０の構成についてより詳細に説明する。
【００３６】
まず、線対称形状を有するストッパ部材２０本体の中心線上には一対のローラ２０ａ，２０ｂが設けられ、この一対のローラ２０ａ，２０ｂがクランパ部材５のガイド溝５ａに挿入されており、これにより、ストッパ部材２０は、ガイド溝５ａに沿って直線移動するように構成されている。このストッパ部材２０にはまた、係合部２０ｃが設けられており、この係合部２０ｃが規制部材１３の係合溝１３ａ内に挿入されている。
【００３７】
次に、同一の寸法形状を有する一対の補助ストッパ部材２１，２２は、ストッパ部材２０の両端に、このストッパ部材２０の中心線に対して線対称となるように配置された軸２３，２４によって、それぞれ、ストッパ部材２０に対して回動自在に設けられている。そして、これらの補助ストッパ部材２１，２２の各回動自由端にはピン状のストッパ１１，１２がそれぞれ設けられている。
【００３８】
ここで、補助ストッパ部材２１，２２は、ストッパ部材２０との間にそれぞれ取り付けられた一対のトーションスプリング２５，２６によって、ストッパ部材２０の中央側にそれぞれ付勢されている。また、補助ストッパ部材２１，２２の回動範囲は、それぞれに設けられたピン２１ａ，２２ａが、ストッパ部材２０に設けられたガイド溝２０ｄ，２０ｅとクランパ部材５に設けられたガイド溝５ｄ，５ｅに挿入されることで、規制されている。
【００３９】
そして、このようなピン２１ａ，２２ａとガイド溝５ｄ，５ｅ，２０ｄ，２０ｅの関係により、図１１に示すような初期状態においては、トーションスプリング２５，２６の付勢力によって補助ストッパ部材２１，２２が最も内側の位置に保持されると共にストッパ部材２０が初期状態に固定され、補助ストッパ部材２１，２２がディスクに押されて最も外側の位置に回動した状態で初めてストッパ部材２０がローディング方向に移動できるようになっている。また、一対の補助ストッパ部材２１，２２に設けられた一対のストッパ１１，１２は、図１１に示すように、初期状態において補助ストッパ部材２１，２２が最も内側の位置にある場合に、各ストッパとそれに対向する側面との距離Ｐが小径ディスクＳの半径Ｑより大きくなるように設定されている（Ｐ＞Ｑ）。
【００４０】
なお、以上のようなストッパ部材２０以外の部分、すなわち、規制部材１３、ロック部材１４、およびディスク検出部材１５等の構成やこれらの部材によってストッパ部材２０を停止させる動作タイミング等については第１の実施の形態と全く同様に構成されている。
【００４１】
［２−２．作用］
以上のような構成を有する本参考例のディスク検出・位置決め機構によれば、前記第１の実施の形態と同様に、大小のディスクの検出およびターンテーブル上におけるディスクの位置決めを確実に行うことができる。以下には、図１１〜図１９を参照しながら、小径ディスクの位置決め動作と大径ディスクの位置決め動作について順次説明する。ここで、図１１〜図１５は、小径ディスクの位置決め動作を示す図であり、図１６〜図１９は、大径ディスクの位置決め動作を示す図である。
【００４２】
［小径ディスクの位置決め動作］
図１１に示すように、小径ディスクＳがディスク搬送路３の幅方向における側面２側の最端部から挿入された場合には、この小径ディスクＳは、図示していないディスクローディング機構により、ディスク搬送路３に沿って搬送され、図１２に示すように、同じ側のストッパ１２に当接する。
【００４３】
なお、このように、側面２側の最端部から挿入された小径ディスクＳは、ディスク検出部材１５の検出ピン１５ｂを押すため、前記第１の実施の形態と同様に、ディスク検出部材１５の動作によりロック部材１４が一旦解除されるが、図１２に示すように小径ディスクＳがストッパ１２に当接する時点では、ディスク検出部材１５が小径ディスクＳから解放されて初期状態に復帰しているため、ロック部材１４も初期のロック状態に復帰している。
【００４４】
また、図１２に示すように、ストッパ１２に小径ディスクＳが当接した時点では、図１１の初期状態と同様に、両側の補助ストッパ部材２１，２２は、トーションスプリング２３，２４の付勢力によって最も内側の位置にあり、ストッパ１２は、小径ディスクＳの中心よりも内側に存在する（Ｐ＞Ｑ）。そして、この状態から小径ディスクＳのローディング力によりストッパ１２が押されると、小径ディスクＳの移動に伴い、補助ストッパ部材２２は、軸２４を中心に図中時計方向に回動し、最も外側の位置に達した時点で、そのピン２２ａがガイド溝５ｅ，２０ｅによって係止されて停止する。この結果、図３に示すように、ストッパ１２が小径ディスクＳの中心よりも外側に移動する（Ｐ＜Ｑ）。
【００４５】
そのため、この後は、ローディング力を受けている小径ディスクＳがこのストッパ１２によって外側から押される形でセンタリングされる。このセンタリング動作に伴い、小径ディスクＳが他方のストッパ１１に当接してこれを押すことにより、他方の補助ストッパ部材２１は、軸２３を中心に図中反時計方向に回動し、最も外側の位置に達した時点で、そのピン２１ａがガイド溝５ｄ，２０ｄに係止されて停止する。この結果、図１４に示すように、両側の補助ストッパ部材２１，２２が最も外側の位置に達した状態となる。
【００４６】
このように、両側の補助ストッパ部材２１，２２が最も外側の位置に達すると、ストッパ部材２０がローディング方向に移動可能となるため、この後は、小径ディスクＳのローディング力により、ストッパ部材２０がガイド溝５ａに沿ってローディング方向に直線移動し、ストッパ部材２０に取り付けられた両側の補助ストッパ部材２１，２２は最も外側の位置に保持される。そして、このストッパ部材２０の直線移動に伴い、規制部材１３は軸部５ｂを中心として図中時計方向に回動し、ロックスプリング１６を介して連結されたロック部材１４も規制部材１３を初期のロック状態で保持したまま一体的に回動する。
【００４７】
この後、図１５に示すように、小径ディスクＳがターンテーブル４上に達すると、ロック部材１４がそのローディング方向における動作範囲の最終位置に達して停止し、これにロックされた規制部材１３が停止してストッパ部材２０を停止させる。したがって、ストッパ部材２０のストッパ１１，１２と当接している小径ディスクＳは、ターンテーブル４上に確実に位置決めされる。
【００４８】
また、上記の場合とは逆に、小径ディスクＳがディスク搬送路３の幅方向における側面１側の最端部から挿入された場合には、小径ディスクＳは他方のストッパ１１に当接し、それによって他方の補助ストッパ部材２１が図中反時計方向に回動し、ストッパ１１が小径ディスクＳの内側から外側に移動する。そして、このストッパ１１によって外側から押される形で小径ディスクＳがセンタリングされた後は、上記の場合と同様に、ストッパ部材２０の直線移動と、規制部材１３およびロック部材１４によるストッパ部材２０の停止動作が順次行われて、小径ディスクＳがターンテーブル４上に確実に位置決めされる。なお、このように小径ディスクＳがディスク搬送路３の側面１側から挿入された場合には、小径ディスクＳはディスク検出部材１５に全く当接しないため、小径ディスクＳがストッパ１１に当接する前にロック部材１４が一旦解除されることはない。
【００４９】
さらに、小径ディスクＳがディスク搬送路の幅方向における中央部から挿入された場合には、センタリングの必要はないため、図１４、図１５に示すように、両側の補助ストッパ部材２１，２２の回動動作、ストッパ部材２０の直線移動、規制部材１３およびロック部材１４によるストッパ部材２０の停止動作が順次行われて、小径ディスクＳがターンテーブル４上に確実に位置決めされる。
【００５０】
［大径ディスクの位置決め動作］
図１６に示すように、大径ディスクＬがディスク搬送路３に挿入された場合には、この大径ディスクＬは、図示していないディスクローディング機構により、ディスク搬送路３に沿って搬送され、図１７に示すように、両側のストッパ１１，１２に当接する。この時点では、両側の補助ストッパ部材２１，２２は、トーションスプリング２３，２４の付勢力によって最も内側の位置にある。また、大径ディスクＬに押圧されたディスク検出部材１５が図中反時計方向に回動しており、ロック部材１４を解除しているため、規制部材１３がロック部材１４に対して回動可能となっている。
【００５１】
この場合、両側の補助ストッパ部材２１，２２は、初期状態と同様に最も内側の位置にあり、ストッパ部材２０は直線移動できないため、両側のストッパ１１，１２に対して大径ディスクＬのローディング力が加わると、小径ディスクＳの場合と同様に、両側の補助ストッパ部材２１，２２が外側への回動動作を行う。この結果、図１８に示すように、両側の補助ストッパ部材２１，２２が最も外側の位置に達した状態となる。
【００５２】
このように、両側の補助ストッパ部材２１，２２が最も外側の位置に達すると、ストッパ部材２０がローディング方向に移動可能となるため、この後は、大径ディスクＬのローディング力により、ストッパ部材２０がガイド溝５ａに沿ってローディング方向に直線移動し、ストッパ部材２０に取り付けられた両側の補助ストッパ部材２１，２２は最も外側の位置に保持される。そして、このストッパ部材２０の直線移動に伴い、規制部材１３は軸部５ｂを中心として図中時計方向に回動し、ロックスプリング１６を介して連結されたロック部材１４も規制部材１３を初期のロック状態で保持したまま一体的に回動する。
【００５３】
この後、図１９に示すように、大径ディスクＬがターンテーブル４上に達すると、ロック部材１４がそのローディング方向における動作範囲の最終位置に達して停止し、これにロックされた規制部材１３が停止してストッパ部材２０を停止させる。したがって、ストッパ部材２０のストッパ１１，１２と当接している大径ディスクＬは、ターンテーブル４上に確実に位置決めされる。
【００５４】
［２−３．効果］
以上のように、本参考例によれば、小径ディスクＳがディスク搬送路の最端部から挿入された場合でも、小径ディスクＳのローディング力を利用して、当接側のストッパを有する側の補助ストッパ部材を回動させて、当接側のストッパを移動させることにより、小径ディスクＳを容易かつ確実にセンタリングすることができる。また、小径ディスクＳをセンタリングした後は、規制部材１３とロック部材１４の動作によってストッパ部材２０を停止させ、小径ディスクＳをターンテーブル４上に確実に位置決めすることができる。
【００５５】
しかも、本参考例によれば、前記第１の実施の形態と同様に、ディスク搬送路３の幅方向における最端部から挿入された小径ディスクＳの中心よりも内側に当接部であるストッパ１１，１２が配置されることになるため、最端部から挿入された小径ディスクＳの中心よりも外側に当接部を配置した場合に比べて、これらのストッパ１１，１２を含む補助ストッパ部材２１，２２やストッパ部材２０を小型・簡略化し、その動作スペースを小さくすることができる。特に、線対称形状を有するストッパ部材２０の中心線がディスク搬送路３の中心線上にあり、一対の補助ストッパ部材２１，２２が中心線に関して線対称となるように配置されていることから、各補助ストッパ部材がディスク搬送路３の対向する各側面に対して等しい位置関係を持つことになるため、機構設計が容易である。したがって、ＣＤプレーヤの小型・簡略化設計に大きく貢献可能である。
【００５６】
［３．参考例２］
［３−１．構成］
図２０は、本発明を適用したＣＤプレーヤの参考例２に係るディスク検出・位置決め機構の主要部材のみを示す平面図であり、特に、ディスクと当接する前の初期状態を示している。この図２０に示すように、本参考例のディスク検出・位置決め機構は、前記第１の実施の形態におけるストッパ部材１０の構成を変更したものである。すなわち、本参考例においては、前記参考例１と同様に、ストッパ部材３０自体は、ガイド溝５ａに沿って直線移動するだけであり、このストッパ部材３０に、一対のストッパ１１，１２および一対のガイド部３１，３２がそれぞれ設けられている。以下には、このストッパ部材３０の構成についてより詳細に説明する。
【００５７】
まず、線対称形状を有するストッパ部材３０の中心線上には直線状のガイドブロック３０ａが設けられ、このガイドブロック３０ａがクランパ部材５のガイド溝５ａに挿入されており、これにより、ストッパ部材３０は、ガイド溝５ａに沿って直線移動するように構成されている。このストッパ部材３０にはまた、係合部３０ｂが設けられており、この係合部３０ｂが規制部材１３の係合溝１３ａ内に挿入されている。
【００５８】
次に、一対のストッパ１１，１２は、ストッパ部材３０の両端にそれぞれ配置されている。また、一対のガイド部３１，３２は、これらのストッパ１１，１２のさらに外側でかつディスク挿入口よりに、各ストッパと間隔を空けるようにしてそれぞれ配置されている。そして、これらの一対のストッパ１１，１２および一対のガイド部３１，３２は、ストッパ部材３０の中心線に関して線対称となるように配置されている。さらに、一対のストッパ１１，１２は、図２０に示すように、各ストッパとそれに対向する側面との距離Ｐが小径ディスクＳの半径Ｑより大きくなるように設定されており（Ｐ＞Ｑ）、一対のガイド部３１，３２は、各ガイド部とそれに対向する側面との距離が小径ディスクＳの半径Ｑより小さくなるように設定されている。
【００５９】
なお、以上のようなストッパ部材３０以外の部分、すなわち、規制部材１３、ロック部材１４、およびディスク検出部材１５等の構成やこれらの部材によってストッパ部材３０を停止させる動作タイミング等については第１の実施の形態と全く同様に構成されている。
【００６０】
［３−２．作用］
以上のような構成を有する本参考例のディスク検出・位置決め機構によれば、前記第１の参考例、参考例１と同様に、大小のディスクの検出およびターンテーブル上におけるディスクの位置決めを確実に行うことができる。以下には、図２０〜図２８を参照しながら、小径ディスクの位置決め動作と大径ディスクの位置決め動作について順次説明する。ここで、図２０〜図２４は、小径ディスクの位置決め動作を示す図であり、図２５〜図２８は、大径ディスクの位置決め動作を示す図である。
【００６１】
［小径ディスクの位置決め動作］
図２０に示すように、小径ディスクＳがディスク搬送路３の幅方向における側面２側の最端部から挿入された場合には、この小径ディスクＳは、図示していないディスクローディング機構により、ディスク搬送路３に沿って搬送され、図２１に示すように、同じ側のガイド部３２に当接する。
【００６２】
なお、このように、側面２側の最端部から挿入された小径ディスクＳは、ディスク検出部材１５の検出ピン１５ｂを押すため、前記第１の実施の形態と同様に、ディスク検出部材１５の動作によりロック部材１４が一旦解除されるが、図２１に示すように小径ディスクＳがガイド部３２に当接する時点では、ディスク検出部材１５が小径ディスクＳから解放されて初期状態に復帰しているため、ロック部材１４も初期のロック状態に復帰している。
【００６３】
また、図２１に示すように、ガイド部３２に小径ディスクＳが当接すると、ローディング力を受けている小径ディスクＳは、ガイド部３２によって外側から押される形でセンタリングされる。このセンタリング動作において、小径ディスクＳは、まず、図２２に示すように、ガイド部３２と同じ側のストッパ１２に当接した後、ガイド部３２から離れて他方のストッパ１１に当接する。この結果、図２３に示すように、小径ディスクＳは、両側のストッパ１１，１２に当接した状態となる。
【００６４】
このように小径ディスクＳがセンタリングされた後は、小径ディスクＳのローディング力により両側のストッパ１１，１２を介してストッパ部材３０がローディング方向に押されるため、ストッパ部材３０は小径ディスクＳと共にガイド溝５ａに沿ってローディング方向に直線移動する。そして、このストッパ部材３０の直線移動に伴い、規制部材１３は軸部５ｂを中心として図中時計方向に回動し、ロックスプリング１６を介して連結されたロック部材１４も規制部材１３を初期のロック状態で保持したまま一体的に回動する。
【００６５】
この後、図２４に示すように、小径ディスクＳがターンテーブル４上に達すると、ロック部材１４がそのローディング方向における動作範囲の最終位置に達して停止し、これにロックされた規制部材１３が停止してストッパ部材３０を停止させる。したがって、ストッパ部材３０のストッパ１１，１２と当接している小径ディスクＳは、ターンテーブル４上に確実に位置決めされる。
【００６６】
また、上記の場合とは逆に、小径ディスクＳがディスク搬送路３の幅方向における側面１側の最端部から挿入された場合には、小径ディスクＳは他方のガイド部３１に当接し、このガイド部３１によって外側から押される形で小径ディスクＳがセンタリングされた後は、上記の場合と同様に、ストッパ部材３０の直線移動と、規制部材１３およびロック部材１４によるストッパ部材３０の停止動作が順次行われて、小径ディスクＳがターンテーブル４上に確実に位置決めされる。なお、このように小径ディスクＳがディスク搬送路３の側面１側から挿入された場合には、小径ディスクＳはディスク検出部材１５に全く当接しないため、小径ディスクＳがストッパ１１に当接する前にロック部材１４が一旦解除されることはない。
【００６７】
さらに、小径ディスクＳがディスク搬送路の幅方向における中央部から挿入された場合には、センタリングの必要はないため、図２３、図２４に示すように、ストッパ部材３０の直線移動、規制部材１３およびロック部材１４によるストッパ部材３０の停止動作が順次行われて、小径ディスクＳがターンテーブル４上に確実に位置決めされる。
【００６８】
［大径ディスクの位置決め動作］
図２５に示すように、大径ディスクＬがディスク搬送路３に挿入された場合には、この大径ディスクＬは、図示していないディスクローディング機構により、ディスク搬送路３に沿って搬送され、図２６に示すように、両側のストッパ１１，１２に当接する。また、大径ディスクＬに押圧されたディスク検出部材１５が図中反時計方向に回動しており、ロック部材１４を解除しているため、規制部材１３がロック部材１４に対して回動可能となっている。
【００６９】
したがって、この状態から、大径ディスクＬのローディング力により、ストッパ部材３０が大径ディスクＬと共にガイド溝５ａに沿ってローディング方向に直線移動すると、図２７に示すように、規制部材１３は軸部５ｂを中心として図中時計方向に回動し、ロックスプリング１６を介して連結されたロック部材１４も規制部材１３を初期のロック状態で保持したまま一体的に回動する。
【００７０】
この後、図２８に示すように、大径ディスクＬがターンテーブル４上に達すると、ロック部材１４がそのローディング方向における動作範囲の最終位置に達して停止し、これにロックされた規制部材１３が停止してストッパ部材３０を停止させる。したがって、ストッパ部材３０のストッパ１１，１２と当接している大径ディスクＬは、ターンテーブル４上に確実に位置決めされる。
【００７１】
［３−３．効果］
以上のように、本参考例によれば、小径ディスクＳがディスク搬送路の最端部から挿入された場合でも、小径ディスクＳのローディング力を利用して、当接側のガイド部によって小径ディスクＳを容易かつ確実にセンタリングすることができる。また、小径ディスクＳをセンタリングした後は、規制部材１３とロック部材１４の動作によってストッパ部材３０を停止させ、小径ディスクＳをターンテーブル４上に確実に位置決めすることができる。
【００７２】
しかも、本参考例によれば、前記第１の実施の形態、参考例１と同様に、ディスク搬送路３の幅方向における最端部から挿入された小径ディスクＳの中心よりも内側に当接部であるストッパ１１，１２が配置されることになるため、最端部から挿入された小径ディスクＳの中心よりも外側に当接部を配置した場合に比べて、これらのストッパ１１，１２やガイド部３１，３２を含むストッパ部材３０を小型・簡略化し、その動作スペースを小さくすることができる。特に、線対称形状を有するストッパ部材３０の中心線がディスク搬送路３の中心線上にあり、一対のストッパ１１，１２および一対のガイド部３１，３２が中心線に関して線対称となるように配置されていることから、各側のストッパおよびガイド部がディスク搬送路３の対向する各側面に対して等しい位置関係を持つことになるため、機構設計が容易である。したがって、ＣＤプレーヤの小型・簡略化設計に大きく貢献可能である。
【００７３】
［４．他の実施の形態］
なお、本発明は、前記実施の形態に限定されるものではなく、他にも本発明の範囲内で多種多様な変形例が実施可能である。例えば、本発明において、ストッパ部材や補助ストッパ部材、ストッパやガイド部等の具体的な構成、ストッパ部材を含むディスク検出・位置決め機構の具体的な構成は自由に選択可能である。
【００７４】
すなわち、本発明は、ディスクをターンテーブル上に位置決めするための当接部が、少なくともディスクと当接する前の初期状態において、この当接部とディスク搬送路の対向する側面との距離が小径ディスクの半径より大きく設定される限り、各部の具体的な構成は自由に選択可能であり、いずれの場合にも、前記実施の形態について記載したような優れた効果が得られるものである。
【００７５】
なお、前記実施の形態においては、ＣＤプレーヤに適用した場合について説明したが、本発明は、ＣＤプレーヤに限定されるものではなく、例えば、ＣＤとＬＤを含む複数種類のディスクを対象とするマルチディスクプレーヤ等、径の異なるディスクを対象とする各種のディスクプレーヤに同様に適用可能であり、同様に優れた効果が得られるものである。
【００７６】
【発明の効果】
以上説明したように、本発明によれば、少なくともディスクと当接する前の初期状態において、ディスクをターンテーブル上に位置決めするための当接部とディスク搬送路の対向する側面との距離を小径ディスクの半径より大きく設定することにより、小径ディスクを容易かつ確実に位置決め可能としながら、しかも、位置決めに必要な各種の部材を小型・簡略化し、その動作スペースを縮小することができるため、小型・簡略化設計に貢献可能な優れたディスクプレーヤを提供することができる。
【図面の簡単な説明】
【図１】  本発明を適用した第１の実施の形態に係るディスク検出・位置決め機構の主要部材を示す図であり、最端部から挿入された小径ディスクとストッパが当接する前の初期状態を示す平面図。
【図２】  図１のディスク検出・位置決め機構において、最端部から挿入された小径ディスクと一方のストッパが当接した状態を示す平面図。
【図３】  図１のディスク検出・位置決め機構において、図２の状態後にストッパが移動して小径ディスクのセンタリング動作を開始した状態を示す平面図。
【図４】  図１のディスク検出・位置決め機構において、図３の状態後に小径ディスクのセンタリング動作を終了した状態を示す平面図。
【図５】  図１のディスク検出・位置決め機構において、図４の状態後に小径ディスクをローディング方向に搬送している状態を示す平面図。
【図６】  図１のディスク検出・位置決め機構において、図５の状態後に小径ディスクをターンテーブル上に位置決めした状態を示す平面図。
【図７】  図１のディスク検出・位置決め機構において、挿入された大径ディスクとストッパが当接する前の初期状態を示す平面図。
【図８】  図１のディスク検出・位置決め機構において、図７の状態後に大径ディスクと一対のストッパが当接した状態を示す平面図。
【図９】  図１のディスク検出・位置決め機構において、図８の状態後に大径ディスクをローディング方向に搬送している状態を示す平面図。
【図１０】  図１のディスク検出・位置決め機構において、図９の状態後に大径ディスクをターンテーブル上に位置決めした状態を示す平面図。
【図１１】  参考例１に係るディスク検出・位置決め機構の主要部材を示す図であり、最端部から挿入された小径ディスクとストッパが当接する前の初期状態を示す平面図。
【図１２】  図１１のディスク検出・位置決め機構において、最端部から挿入された小径ディスクと一方のストッパが当接した状態を示す平面図。
【図１３】  図１１のディスク検出・位置決め機構において、図１２の状態後にストッパが移動して小径ディスクのセンタリング動作を開始した状態を示す平面図。
【図１４】  図１１のディスク検出・位置決め機構において、図１３の状態後に小径ディスクのセンタリング動作を終了した状態を示す平面図。
【図１５】  図１１のディスク検出・位置決め機構において、図１４の状態後に小径ディスクをターンテーブル上に位置決めした状態を示す平面図。
【図１６】  図１１のディスク検出・位置決め機構において、挿入された大径ディスクとストッパが当接する前の初期状態を示す平面図。
【図１７】  図１１のディスク検出・位置決め機構において、図１６の状態後に大径ディスクと一対のストッパが当接した状態を示す平面図。
【図１８】  図１１のディスク検出・位置決め機構において、図１７の状態後に一対の補助ストッパ部材が外側に回動した状態を示す平面図。
【図１９】  図１１のディスク検出・位置決め機構において、図１８の状態後に大径ディスクをターンテーブル上に位置決めした状態を示す平面図。
【図２０】  参考例２に係るディスク検出・位置決め機構の主要部材を示す図であり、最端部から挿入された小径ディスクとガイド部が当接する前の初期状態を示す平面図。
【図２１】  図２０のディスク検出・位置決め機構において、最端部から挿入された小径ディスクと一方のガイド部が当接して小径ディスクのセンタリング動作を開始した状態を示す平面図。
【図２２】  図２０のディスク検出・位置決め機構において、図２１の状態後の小径ディスクのセンタリング動作途中状態を示す平面図。
【図２３】  図２０のディスク検出・位置決め機構において、図２２の状態後に小径ディスクのセンタリング動作を終了した状態を示す平面図。
【図２４】  図２０のディスク検出・位置決め機構において、図２３の状態後に小径ディスクをターンテーブル上に位置決めした状態を示す平面図。
【図２５】  図２０のディスク検出・位置決め機構において、挿入された大径ディスクとストッパが当接する前の初期状態を示す平面図。
【図２６】  図２０のディスク検出・位置決め機構において、図２５の状態後に大径ディスクと一対のストッパが当接した状態を示す平面図。
【図２７】  図２０のディスク検出・位置決め機構において、図２６の状態後に大径ディスクをローディング方向に搬送している状態を示す平面図。
【図２８】  図２０のディスク検出・位置決め機構において、図２７の状態後に大径ディスクをターンテーブル上に位置決めした状態を示す平面図。
【符号の説明】
１，２…側面
３…ディスク搬送路
４…ターンテーブル
５…クランパ部材
５ａ，５ｄ，５ｅ，２０ｄ，２０ｅ…ガイド溝
５ｂ…軸部
５ｃ…段部
１０，２０，３０…ストッパ部材
１０ａ，１５ａ，２３，２４…軸
１０ｂ，２０ｃ，３０ｂ…係合部
１０ｃ…回動規制部
１１，１２…ストッパ
１３…規制部材
１３ａ…係合溝
１３ｂ…ピン
１４…ロック部材
１４ａ…ガイド孔
１４ｂ…ロック孔
１５…ディスク検出部材
１５ｂ…検出ピン
１５ｃ…ロック解除部
１６…ロックスプリング
１７，１８…スプリング
１９…トリガ部材
２０ａ，２０ｂ…ローラ
２１，２２…補助ストッパ部材
２１ａ，２２ａ…ピン
２５，２６…トーションスプリング
３０ａ…ガイドブロック
３１，３２…ガイド部
【図１】
0004108799.tif 000002
【図２】
0004108799.tif 000003
【図３】
0004108799.tif 000004
【図４】
0004108799.tif 000005
【図５】
0004108799.tif 000006
【図６】
0004108799.tif 000007
【図７】
0004108799.tif 000008
【図８】
0004108799.tif 000009
【図９】
0004108799.tif 000010
【図１０】
0004108799.tif 000011
【図１１】
0004108799.tif 000012
【図１２】
0004108799.tif 000013
【図１３】
0004108799.tif 000014
【図１４】
0004108799.tif 000015
【図１５】
0004108799.tif 000016
【図１６】
0004108799.tif 000017
【図１７】
0004108799.tif 000018
【図１８】
0004108799.tif 000019
【図１９】
0004108799.tif 000020
【図２０】
0004108799.tif 000021
【図２１】
0004108799.tif 000022
【図２２】
0004108799.tif 000023
【図２３】
0004108799.tif 000024
【図２４】
0004108799.tif 000025
【図２５】
0004108799.tif 000026
【図２６】
0004108799.tif 000027
【図２７】
0004108799.tif 000028
【図２８】
0004108799.tif 000029